(57)【要約】【課題】産業機械に異常が発生した場合における復旧作業に要する負荷、及び産業機械を安定して稼動させるために定期的に行われる保守・点検作業に要する負荷を低減すること。【解決手段】保守支援装置５０は、制御装置１０と端末装置３０とで構成される。制御装置１０は、産業機械の本体側に配置され、端末装置３０は、制御装置１０とは別個に用意されて、制御装置１０とは離れた位置で使用可能に構成される。制御装置１０は、異常検出制御部１４ａと制御装置側通信制御部１４ｂとを有する。端末装置３０は、端末側通信制御部３４ａと、端末側記憶部３５と、異常復旧制御部３４ｂとを有する。【選択図】        図３
2010105369.tif 000002
【特許請求の範囲】
【請求項１】
産業機械の異常を検出する異常検出手段と、少なくとも当該異常検出手段が検出した前記産業機械の異常についての情報を発信する第１の通信手段と、を有し、かつ、前記産業機械の本体側に配置される制御装置と、
前記制御装置が有する前記第１の通信手段と通信する機能を有する第２の通信手段と、前記産業機械に発生した異常の復旧手順を複数格納する端末側記憶手段と、前記復旧手順を表示する端末側表示手段と、前記第２の通信手段を介して取得した前記産業機械の異常についての情報に対応する復旧手順を前記端末側記憶手段から取得し、前記端末側表示手段に表示させる異常復旧制御手段と、を有し、かつ、前記制御装置とは別個に用意されて、前記制御装置とは離れた位置で使用可能である端末装置と、
を備えることを特徴とする産業機械の保守支援装置。
【請求項２】
異常復旧制御手段は、前記第２の通信手段を介して、前記制御装置から前記産業機械の異常が検出されたときにおける前記産業機械の状態についての情報を取得して、前記端末側表示手段に表示させることを特徴とする請求項１に記載の産業機械の保守支援装置。
【請求項３】
前記制御装置は、前記産業機械の運転条件を格納する制御装置側記憶手段を備え、
前記端末装置は、
前記産業機械の運転中に、当該産業機械の現時点における運転条件とは異なる運転条件を、前記制御装置側記憶手段から読み出して、前記端末側表示手段に表示させる情報確認手段を有することを特徴とする請求項１又は２に記載の産業機械の保守支援装置。
【請求項４】
前記端末装置は、
前記異なる運転条件を編集できる運転条件編集手段を有することを特徴とする請求項３に記載の産業機械の保守支援装置。
【請求項５】
前記端末装置は、
前記産業機械の運転条件を入力する入力手段を有し、
前記第２の通信手段は、入力された前記産業機械の運転条件を、前記第１の通信手段へ送信することを特徴とする請求項３に記載の産業機械の保守支援装置。
【請求項６】
前記端末装置は、
前記第２の通信手段を介して複数の産業機械の運転条件を取得するとともに、取得されたそれぞれの運転条件同士を前記複数の産業機械の間で比較して、前記それぞれの運転条件に含まれる前記産業機械の制御パラメータのうち、異なる制御パラメータを抽出する比較手段を有することを特徴とする請求項１から５のいずれか１項に記載の産業機械の保守支援装置。
【請求項７】
前記端末装置は、
前記第２の通信手段を介して複数の産業機械の運転条件を取得するとともに、取得されたそれぞれの運転条件同士を前記複数の産業機械の間で比較して、前記それぞれの運転条件に含まれる前記産業機械の実行値プロファイルデータを、同一の表示ディスプレイに比較可能なように表示することを特徴とする請求項１から６のいずれか１項に記載の産業機械の保守支援装置。
【請求項８】
前記第２の通信手段は、通信回線と通信可能であることを特徴とする請求項１から７のいずれか１項に記載の産業機械の保守支援装置。
【請求項９】
前記制御装置は、画像を表示する制御装置側表示手段を備え、
前記端末装置は、
前記制御装置側表示手段に表示される画像を複写する画面複写手段を有することを特徴とする請求項１から８のいずれか１項に記載の産業機械の保守支援装置。
【請求項１０】
前記端末装置は、
前記端末側記憶手段に格納されている情報を、キーワードに基づいて検索する検索手段を有することを特徴とする請求項１から９のいずれか１項に記載の産業機械の保守支援装置。
【請求項１１】
請求項１から請求項１０のいずれか１項に記載の産業機械の保守支援装置を備えることを特徴とする産業機械。
【発明の詳細な説明】
【技術分野】
【０００１】
本発明は、産業機械の点検や保守を支援する技術に関する。
【背景技術】
【０００２】
射出成型機や印刷機等の産業機械は、安定して稼働させるため、定期的に保守・点検が行われる。また、産業機械に異常が発生した場合には、不具合を解消するため、異常の復旧作業が行われる。例えば、特許文献１には、射出成形機の表示装置上に、異常の復旧作業に必要な手順を表示させる技術が開示されている。また、特許文献２には、射出成型機に不具合が発生した場合、不具合に関するパラメータを自動的に表示させる技術が開示されている。
【０００３】
【特許文献１】特開平７−２９０５４４号公報
【特許文献２】特開平５−１２７７１６号公報
【発明の開示】
【発明が解決しようとする課題】
【０００４】
しかし、特許文献１に開示された技術では、異常の復旧作業に必要な手順を表示させる表示装置が、射出成形機の特定位置から動かせない。このため、表示装置から離れた場所での対応が必要となった場合に手順をメモするなどの作業が必要となり、異常からの復旧作業の効率が低下する。また、特許文献２に開示された技術では、表示されたパラメータに対する判断は作業者に委ねられるので、判断の結果、採用すべき復旧作業も作業者自身が調べることになり、異常状態からの復旧作業が軽減される訳ではない。本発明は、上記に鑑みてなされたものであって、産業機械に異常が発生した場合における復旧作業に要する負荷を低減すること、産業機械を安定して稼動させるために定期的に行われる保守・点検作業に要する負荷を低減することのうち少なくとも一つを達成することを目的とする。
【課題を解決するための手段】
【０００５】
上述した課題を解決し、目的を達成するために、本発明に係る産業機械の保守支援装置は、産業機械の異常を検出する異常検出手段と、少なくとも当該異常検出手段が検出した前記産業機械の異常についての情報を発信する第１の通信手段と、を有し、かつ、前記産業機械の本体側に配置される制御装置と、前記制御装置が有する前記第１の通信手段と通信する機能を有する第２の通信手段と、前記産業機械に発生した異常の復旧手順を複数格納する端末側記憶手段と、前記復旧手順を表示する端末側表示手段と、前記第２の通信手段を介して取得した前記産業機械の異常についての情報に対応する復旧手順を前記端末側記憶手段から取得し、前記端末側表示手段に表示させる異常復旧制御手段と、を有し、かつ、前記制御装置とは別個に用意されて、前記制御装置とは離れた位置で使用可能である端末装置と、を備えることを特徴とする。
【０００６】
本発明は、端末装置側記憶手段に、産業機械の異常に対応した復旧手順を格納して、産業機械に異常が発生した場合の復旧作業時には、端末側表示手段に、産業機械に発生した異常に対応した復旧作業の手順を表示させる。これによって、産業機械を異常から復旧させる際に、作業者は、復旧作業の手順や異常が発生した場所を容易に理解できるので、復旧作業に要する負荷を低減できる。また、産業機械を安定して稼動させるために定期的に行われる保守・点検作業に要する負荷を低減できる。
【０００７】
本発明の好ましい態様としては、前記産業機械の保守支援装置において、異常復旧制御手段は、前記第２の通信手段を介して、前記制御装置から前記産業機械の異常が検出されたときにおける前記産業機械の状態についての情報を取得して、前記端末側表示手段に表示させることが望ましい。これによって、制御装置の場所に戻らず、作業場所で、産業機械が正常に動作しているか否かを確認できるので、復旧作業に要する負荷を低減できる。
【０００８】
本発明の好ましい態様としては、前記産業機械の保守支援装置において、前記制御装置は、前記産業機械の運転条件を格納する制御装置側記憶手段を備え、前記端末装置は、前記産業機械の運転中に、当該産業機械の現時点における運転条件とは異なる運転条件を、前記制御装置側記憶手段から読み出して、前記端末側表示手段に表示させる情報確認手段を有することが望ましい。これによって、産業機械の運転中に、次のジョブの条件を確認できるので、作業効率が向上する。
【０００９】
本発明の好ましい態様としては、前記産業機械の保守支援装置において、前記端末装置は、前記異なる運転条件を編集できる運転条件編集手段を有することが望ましい。これによって、現時点における産業機械の運転条件を書き換えることなく、他の運転条件を編集できるので、作業効率が向上する。
【００１０】
本発明の好ましい態様としては、前記産業機械の保守支援装置において、前記端末装置は、前記産業機械の運転条件を入力する入力手段を有し、前記第２の通信手段は、入力された前記産業機械の運転条件を、前記第１の通信手段へ送信することが望ましい。これによって、制御装置と離れた場所で作業していても、産業機械の制御装置まで戻ることなく、その場で産業機械の運転条件を変更できるので、作業効率が向上する。
【００１１】
本発明の好ましい態様としては、前記産業機械の保守支援装置において、前記端末装置は、前記第２の通信手段を介して複数の産業機械の運転条件を取得するとともに、取得されたそれぞれの運転条件同士を前記複数の産業機械の間で比較して、前記それぞれの運転条件に含まれる前記産業機械の制御パラメータのうち、異なる制御パラメータを抽出する比較手段を有することが望ましい。これによって、複数の産業機械間で制御パラメータを比較して、産業機械間の違いを把握する場合には、比較対象となるすべての制御パラメータ等を一点一点、作業者が比較する必要はない。このため、異なる制御パラメータ等の見逃しといった人為的なミスを回避できるとともに、短時間で制御パラメータを比較し、異なる制御パラメータを抽出することができるので、産業機械間の違いを把握する作業の効率が向上する。
【００１２】
本発明の好ましい態様としては、前記産業機械の保守支援装置において、前記端末装置は、前記第２の通信手段を介して複数の産業機械の運転条件を取得するとともに、取得されたそれぞれの運転条件同士を前記複数の産業機械の間で比較して、前記それぞれの運転条件に含まれる前記産業機械の実行値プロファイルデータを、同一の表示ディスプレイに比較可能なように表示することが望ましい。これによって、複数の産業機械間で実行値プロファイルにおいて、産業機械間の違いを把握する場合には、比較対象となる前記産業機械の各々の速度プロファイル、又はトルクプロファイル等の実行値プロファイルデータの画像を紙面として各々印刷し、机上で作業者が比較する必要はない。このため、印刷時における画像の縦軸横軸の縮尺といった、印刷装置によるデータ加工、処理を考慮することなく、容易に波形データの比較ができるので、産業機械間の違いを把握する作業の効率が向上する。
【００１３】
本発明の好ましい態様としては、前記産業機械の保守支援装置において、前記第２の通信手段は、通信回線と通信可能であることが望ましい。これによって、例えば、産業機械の管理会社が、産業機械の運転条件や産業機械の稼働状況等を把握して、産業機械の保守・点検に活用したり、不具合の改善に活用したりすることができる。また既存のネットワークに接続すれば、前記ネットワーク上の端末装置からでも産業機械の運転条件や稼働状況等を把握して、産業機械の保守・点検等の管理ができる。
【００１４】
本発明の好ましい態様としては、前記産業機械の保守支援装置において、前記制御装置は、画像を表示する制御装置側表示手段を備え、前記端末装置は、前記制御装置側表示手段に表示される画像を複写する画面複写手段を有することが望ましい。これによって、制御装置側表示手段に表示される画面と同じ画面を複写できるので、端末装置は、制御装置側表示手段の表示と同一の画面をそのまま持ち運ぶことができる。その結果、他の作業者や管理者等と相談する場合も、見やすく、かつイメージし易い環境とすることができるので、作業効率がより向上する。
【００１５】
本発明の好ましい態様としては、前記産業機械の保守支援装置において、前記端末装置は、前記端末側記憶手段に格納されている情報を、キーワードに基づいて検索する検索手段を有することが望ましい。これによって、例えば、設定したい制御パラメータをキーワードとして入力すると、設定したい制御パラメータが記述される画面を、端末側表示手段へ速やかに表示させることができるので、作業性が向上する。
【００１６】
上述した課題を解決し、目的を達成するために、本発明に係る産業機械は、前記産業機械の保守支援装置を備えることを特徴とする。本発明は、上述した産業機械の保守支援装置を備えるので、産業機械を異常から復旧させる際に、作業者は、復旧作業の手順や異常が発生した場所を容易に理解できるので、復旧作業に要する負荷を低減できる。
【発明の効果】
【００１７】
本発明は、産業機械に異常が発生した場合における復旧作業に要する負荷を低減すること、産業機械を安定して稼動させるために定期的に行われる保守・点検作業に要する負荷を低減することのうち少なくとも一つを達成できる。
【発明を実施するための最良の形態】
【００１８】
以下、本発明につき図面を参照しつつ詳細に説明する。なお、以下において説明する内容により本発明が限定されるものではない。また、以下に説明する構成要素には、当業者が容易に想定できるもの、実質的に同一のもの、いわゆる均等の範囲のものが含まれる。以下においては、産業機械として射出成型機を例として説明するが、本発明を適用できる産業機械の種類は問わない。
【００１９】
図１は、本実施形態に係る産業機械の保守支援装置を備える射出成型機を示す説明図である。図２は、端末装置の取り付け構造を示す説明図である。まず、射出成型機の概略を説明する。射出成型機１は、型締め装置２と、タイバー３と、金型４と、ヒータ５と、ノズル６と、加熱シリンダ７と、ホッパ８と、射出装置９とを備えている。そして、射出成型機１は、制御装置１０で動作が制御される。
【００２０】
型締め装置２は、射出成形機１の金型４を開閉させる機構を有する装置であり、金型４に充填された成型材料（例えば樹脂）に十分な圧力が作用するように、金型４に高圧をかけられるようになっている。型締め装置２は、成型材料が金型４内に射出されるときに金型４が開かないように強い型締め力で金型４を締め、射出された成型材料が冷却して固化すると、金型４を開く。これによって、金型４から成型品が取り出される。タイバー３は、射出成形機１において型板を支え、金型４の開閉動作の案内となり、型締め力を受ける支柱である。タイバー３は、通常４本を１組として用いられる。ここで、型板は、金型４を取り付けて、金型４と射出成型機１とを連結する機能を有する部材である。
【００２１】
金型４は、可動金型４Ｍと、固定金型４Ｆとで構成される。可動金型４Ｍと、固定金型４Ｆとは、一方が雌型で、他方が雄型である。本実施形態では、可動金型４Ｍが雄型で、固定金型４Ｆが雌型である。射出成型時には、可動金型４Ｍと固定金型４Ｆとが合わさって、両者の間に形成される空間に溶融した成型材料が注入される。
【００２２】
ヒータ５は、加熱シリンダ７の外周に取り付けられて、加熱シリンダ７の内部に成型材料を加熱する。ヒータ５は、例えば、電気ヒータが用いられる。ノズル６は、加熱シリンダ７の先端部にある成形材料の射出口であり、固定金型４Ｆに設けられたスプルブシュと密着して、溶融した成型材料を可動金型４Ｍと固定金型４Ｆとの間に形成される空間に流し込む。
【００２３】
加熱シリンダ７は、成形材料を溶融可塑化させ、かつ輸送するための加熱筒である。加熱シリンダ７の内部にはスクリューがあり、成形材料は外部のヒータ５からの伝熱と、スクリューの回転によるせん断力とによって加熱され、効率よく可塑化されるようになっている。ホッパ８は、射出成形機１に付属した成形材料投入口である。射出装置９は、成形材料を可塑化させ、金型４内に射出する機能を有する。射出装置９は、型締め装置２とともに射出成形機１の主要部分を構成する。射出装置９にはブランジャ式、スクリュープリプラ式、インラインスクリュー式等がある。制御装置１０は、射出成形機１の各種運転条件（例えば、射出速度や圧力等）に基づき、射出成型機１の動作を制御するための装置であり、コンピュータで構成される。
【００２４】
制御装置１０は、制御装置側表示手段として制御装置ディスプレイ１１と、制御装置側入力手段として制御装置入力装置１２とを備える。また、本実施形態においては、射出成型機１に、端末装置３０が備えられる。端末装置３０は、主として射出成型機１を保守・点検する際に用いられる。端末装置３０は、制御装置１０と通信できる通信機能を備えており、射出成型機１及び制御装置１０と別個独立に構成されて、制御装置１０とは離れた場所で使用できるように構成される。端末装置３０の通信機能は、無線通信、有線通信を問わないが、射出成型機１を保守・点検する際には、作業者が端末装置３０を保守・点検の現場まで持っていくので、無線通信が好ましい。また、端末装置３０の通信機能は、少なくとも制御装置１０から発信される情報を受信できる、制御装置１０から端末装置３０への一方向通信機能を有していればよい。なお、制御装置１０と端末装置３０との間で相互に通信できる双方向通信機能が好ましい。
【００２５】
本実施形態において、端末装置３０は、図２に示すように、射出成型機１の本体１Ｂに設けた窪み状の端末装置格納部１Ｓに格納される。そして、射出成型機１を保守・点検する場合、端末装置３０は端末装置格納部１Ｓから取り外されて、作業場所まで持っていかれる。このように、本実施形態において、端末装置３０は、射出成型機１の本体１Ｂに対して着脱可能に構成される。なお、端末装置３０は、制御装置１０とは離れた位置で使用できるように構成すればよく、制御装置１０に対して着脱可能に構成してもよい。
【００２６】
本実施形態において、射出成型機１は、産業機械の保守支援装置（以下、保守支援装置という）５０を備える。保守支援装置５０は、制御装置１０と端末装置３０とで構成される。制御装置１０は、射出成型機１の動作を制御する機能の他、射出成型機１の異常を検出し、これを報知する機能や、端末装置３０の要求に応じて必要な射出成型機１の制御パラメータ（射出速度、射出圧力、型締め力等）、及び実行値プロファイルデータ（射出速度波形、射出圧力波形、型締め力波形等）を端末装置３０へ送信する機能を有する。端末装置３０は、射出成型機１の異常に対応する復旧手順や、射出成型機１の保守・点検手順等を表示する端末側表示手段を備えており、例えば、制御装置１０が検出した射出成型機１の異常を復旧させるための復旧手順が前記端末側表示手段に表示される。次に、保守支援装置５０の構成をより詳細に説明する。
【００２７】
図３は、本実施形態に係る保守支援装置の構成を示す説明図である。保守支援装置５０を構成する制御装置１０は、制御装置ディスプレイ１１と、制御装置入力装置１２と、入出力部（Ｉ／Ｏ）１３と、処理部（以下、制御装置処理部という）１４と、記憶部（以下、制御装置記憶部という）１５と、ＰＬＣ（Programmable Logic Controller：プログラマブルロジックコントローラ）１６とを含む。制御装置ディスプレイ１１と制御装置入力装置１２と制御装置処理部１４とは入出力部（以下、制御装置入出力部という）１３に接続されている。これによって、制御装置入力装置１２から制御装置処理部１４へ射出成型機１の制御パラメータや命令を入力し、また、制御装置処理部１４は、射出成型機１の状態や制御パラメータや実行値プロファイルデータ等を制御装置ディスプレイ１１へ表示させる。
【００２８】
また、制御装置入出力部１３には、ＰＬＣ１６が接続される。ＰＬＣ１６は、制御装置入力装置１２からの指令に基づき、射出成型機１の動作を制御する。ここで、ＰＬＣ１６は、小型のコンピュータの一種であり、中枢にはコンピュータと同じようにマイクロプロセッサが用いられるが、ＰＬＣ１６の動作は通常のコンピュータとは異なり、ステートマシン（有限オートマトン）を動作モデルとしている。ソフトウェアで動作する点では、ＰＬＣ１６もコンピュータも同様であるが、ＰＬＣ１６は、原理的にバグが発生しにくく、どのような入力に対しても何らかのアウトプットが得られるようになっている。
【００２９】
制御装置処理部１４は、異常検出制御部１４ａと、制御装置側通信制御部１４ｂと、表示制御部１４ｃとを有する。異常検出制御部１４ａは、異常検出手段であり、制御装置入出力部１３を介してＰＬＣ１６や射出成型機１の各種センサ類から、射出成型機１の状態や制御パラメータや実行値プロファイルデータ等を取得する。そして、異常検出制御部１４ａは、取得した情報に基づき、射出成型機１の異常を検出する。制御装置側通信制御部１４ｂは、第１の通信手段であり、少なくとも異常検出制御部１４ａが検出した射出成型機１の異常についての情報を発信する。他に、制御装置側通信制御部１４ｂは、射出成型機１の制御パラメータや実行値プロファイルデータ等の運転条件を発信してもよい。表示制御部１４ｃは、射出成型機１の状態や制御パラメータや実行値プロファイルデータ等を制御装置ディスプレイ１１へ表示させる。
【００３０】
制御装置入出力部１３には、第１の通信装置（制御装置側通信装置）１７が接続されている。制御装置側通信装置１７は、送受信機能を有しており、端末装置３０に接続される第２の通信装置（端末側通信装置）３７との間で信号を送受信する。この場合、制御装置側通信装置１７は、制御装置側通信制御部１４ｂが取得した射出成型機１の異常についての情報を送信する。
【００３１】
制御装置側記憶手段である記憶部（以下、制御装置側記憶部という）１５には、射出成型機１の運転条件、例えば、型締め装置２の運転条件や射出装置９の運転条件が格納される。制御装置側記憶部１５に格納される射出成型機１の運転条件は、現時点の運転条件のみならず、過去の運転条件や、将来予定されている運転条件が含まれる。次に、端末装置３０について説明する。
【００３２】
保守支援装置５０を構成する端末装置３０は、端末側表示手段である端末装置ディスプレイ３１と、入力手段である端末入力装置３２と、入出力部（Ｉ／Ｏ）３３と、処理部（以下、端末側処理部という）３４と、記憶部（以下、端末側記憶部という）３５とを含む。端末装置ディスプレイ３１と端末入力装置３２と端末側処理部３４とは入出力部（以下、端末側入出力部という）３３に接続されている。これによって、端末入力装置３２から端末側処理部３４へ命令を入力し、また、端末側処理部３４は、制御装置１０から取得した射出成型機１の異常に関する情報や射出成型機１の制御パラメータや実行値プロファイルデータ等を端末装置ディスプレイ３１へ表示させる。
【００３３】
また、端末側入出力部３３には、端末側通信装置３７が接続されている。端末側通信装置３７は、制御装置側通信装置１７と同様に送受信機能を有しており、制御装置１０に接続される制御装置側通信装置１７との間で信号を送受信する。この場合、端末側通信装置３７は、例えば、射出成型機１の異常からの復旧作業において、射出成型機１の状態や制御パラメータや実行値プロファイルデータが必要になった場合には、これらの送信要求を制御装置１０の制御装置側通信装置１７へ送信する。また、端末側通信装置３７は、射出成型機１の異常からの復旧が終了したことを制御装置１０の制御装置側通信装置１７へ送信する。
【００３４】
制御装置処理部１４は、端末側通信制御部３４ａと、異常復旧制御部３４ｂと、情報確認制御部３４ｃと、運転条件編集制御部３４ｄと、比較制御部３４ｅと、画面複写制御部３４ｆと、検索制御部３４ｇと、条件判定部３４ｈと、実行値プロファイルデータ比較制御部３４ｉとを有する。端末側通信制御部３４ａは、第２の通信手段であり、制御装置１０が有する制御装置側通信制御部１４ｂと通信する機能を有する。端末側通信制御部３４ａは、制御装置側通信制御部１４ｂから、異常検出制御部１４ａが検出した射出成型機１の異常についての情報を取得する。また、端末側通信制御部３４ａは、例えば、射出成型機１の状態や制御パラメータや実行値プロファイルデータの送信要求を制御装置側通信制御部１４ｂへ送信する。
【００３５】
端末側通信制御部３４ａは、端末側通信装置３７を介して、例えばインターネットや社内ＬＡＮ（Local Area Network）のような通信回線６０と通信して、通信回線６０との間で情報をやり取りする。この場合、端末側通信制御部３４ａは、通信回線６０に接続される中継基地６１を介して、通信回線６０と通信する。通信回線６０には、例えば、コンピュータ６２やデータサーバー６３が接続されており、端末側通信制御部３４ａは、通信回線６０を介して、これらと情報をやり取りする。
【００３６】
異常復旧制御部３４ｂは、異常復旧制御手段であり、端末側通信制御部３４ａを介して取得した射出成型機１の異常についての情報に対応する復旧手順を、後述する端末側記憶手段である記憶部（以下、端末側記憶部という）３５から取得し、端末装置ディスプレイ３１に表示させる。情報確認制御部３４ｃは、射出成型機１の運転中に、射出成型機１の現時点における運転条件とは異なる運転条件を、制御装置側記憶部１５から読み出して、端末装置ディスプレイ３１に表示させる。また、運転条件編集制御部３４ｄは、運転条件編集手段であり、制御装置側記憶部１５に格納されている射出成型機１の運転条件を、例えば、端末入力装置３２からの入力に応じて編集する機能を有する。例えば、運転条件編集制御部３４ｄは、現時点における射出成型機１の運転条件とは異なる運転条件を制御装置側記憶部１５から取得し、端末入力装置３２からの入力に応じて書き換える。
【００３７】
比較制御部３４ｅは、比較手段であり、端末側通信制御部３４ａを介して複数の射出成型機１の運転条件を取得するとともに、取得されたそれぞれの運転条件同士を、複数の射出成型機１の間で比較する。そして、比較制御部３４ｅは、それぞれの運転条件に含まれる射出成型機１の制御パラメータのうち、異なる制御パラメータを抽出する。
【００３８】
実行値プロファイルデータ表示制御部３４ｉは、実行値プロファイルデータ表示手段である。実行値プロファイルデータ表示制御部３４ｉは、端末側通信制御部３４ａを介して複数の射出成型機１の運転条件を取得するとともに、取得されたそれぞれの運転実行値プロファイルデータ同士を画像として、端末装置ディスプレイ３１に各実行値プロファイルデータの縦軸横軸のスケールを同一とし、上下又は左右に並べるか。あるいは、取得されたそれぞれの運転実行値プロファイルデータ同士を同一グラフ上に重ね書きにする等の方法により、それぞれの運転実行値プロファイルデータ同士を比較可能なように表示する。
【００３９】
画面複写制御部３４ｆは、画面複写手段であり、制御装置ディスプレイ１１に表示される画像を複写する機能を有する。例えば、画面複写制御部３４ｆは、制御装置側通信制御部１４ｂ及び端末側通信制御部３４ａを介して、制御装置１０の表示制御部１４ｃが生成した、制御装置ディスプレイ１１に表示される画像を取得する。そして、画面複写制御部３４ｆは、取得した画像のイメージデータを端末側記憶部３５に格納し、必要に応じて前記画像を印刷機に出力させたり、端末装置ディスプレイ３１に表示させたりする。
【００４０】
検索制御部３４ｇは、検索手段であり、端末側記憶部３５に格納されている情報を、端末入力装置３２から入力されるキーワードに基づいて検索する。例えば、検索制御部３４ｇは、端末入力装置３２から入力されたキーワードを含む画面の情報を、端末側記憶部３５に格納されている画面の情報から検索し、該当する画面や関連する画面を端末装置ディスプレイ３１に表示させる。このとき、検索制御部３４ｇは、端末装置ディスプレイ３１に表示させた画面中に存在するキーワードを強調して表示させる。条件判定部３４ｈは、例えば、射出成型機１の異常を復旧させる作業において、復旧手順を表示させるか否かや、復旧手順の分岐の判定等を実行する。ここで、１台の端末装置３０が、複数の射出成型機１にそれぞれ備えられる制御装置１０と通信できるように構成してもよい。このようにすれば、それぞれの射出成型機１に対して端末装置３０を用意する必要はないので、端末機のコストが低減できる。
【００４１】
制御装置１０の処理部（制御装置処理部）１４及び端末装置３０の処理部（端末側処理部）３４は、ＣＰＵ（Central Processing Unit）で構成されており、制御装置側記憶部１５や端末側記憶部３５上に存在するプログラム（コンピュータプログラム）と呼ぶ命令列を順に読み込み、解釈し、その結果に従ってデータを移動したり加工したりする。なお、制御装置処理部１４及び端末側処理部３４は、専用のハードウェアによって実現されるものであってもよい。また、制御装置処理部１４及び端末側処理部３４の機能を実現するためのコンピュータプログラムをコンピュータが読み取り可能な記録媒体に記録し、この記録媒体に記録されたコンピュータプログラムをコンピュータシステムに読み込ませ、実行することにより本実施形態に係る、拠点選択方法の処理手順を実行してもよい。なお、ここでいう「コンピュータシステム」とは、ＯＳや周辺機器などのハードウェアを含むものとする。
【００４２】
「コンピュータが読み取り可能な記録媒体」とは、フレキシブルディスク、光磁気ディスク、ＲＯＭ、ＣＤ−ＲＯＭなどの可搬媒体、あるいはコンピュータシステムに内蔵されるハードディスクのような記録装置のことをいう。さらに、「コンピュータが読み取り可能な記録媒体」とは、インターネットや電話回線等の通信回線を介してコンピュータプログラムを送信する場合の通信線のように、短時間の間、動的にコンピュータプログラムを保持するもの、その場合のサーバーやクライアントとなるコンピュータシステム内部の揮発性メモリのように、一定時間コンピュータプログラムを保持しているものを含むものとする。また、上記コンピュータプログラムは、前述した機能の一部を実現するためのものであってよく、さらに前述した機能をコンピュータシステムに既に記録されているコンピュータプログラムとの組み合わせで実現できるものであってもよい。
【００４３】
制御装置側記憶部１５及び端末側記憶部３５は、ＲＡＭ（Random Access Memory）のような揮発性のメモリやＲＯＭ（Read Only Memory）のような不揮発性のメモリ、ハードディスク装置や光磁気ディスク装置、ＣＤ−ＲＯＭ等のような読み出しのみが可能な記憶媒体、あるいはこれらを組み合わせて構成される。
【００４４】
一般に、射出成型機１を制御する制御装置１０の近傍は、型締め装置２及び射出装置９の作業領域である。このため、制御装置１０と端末装置とを通信させるためにパーソナルコンピュータ等の別置きの端末を用いた場合は、制御装置１０の近傍に端末を設置することになる。しかし、この構成では、型締め装置２からの成形品取り出し時や、射出装置９の成形材料変更時等に、端末が邪魔になるおそれがある。しかし、本実施形態では、端末装置３０に制御装置１０との通信機能を組み込むことにより、通信用の別置きの端末を用意する必要はない。また、端末装置３０は、射出成型機１の本体や制御装置１０に対して着脱可能に構成される。これによって、型締め装置２からの成形品取り出し時や、射出装置９の成形材料変更時等であっても、端末装置３０はほとんど邪魔にならない。その結果、作業効率が向上する。次に、保守支援装置５０を用いて、射出成型機１の保守・点検等を実行する例を説明する。
【００４５】
図４は、本実施形態に係る保守支援装置を用いて射出成型機を保守・点検する手順の一例を示すフローチャートである。まず、射出成型機１に異常が発生したか否かが判定される。制御装置１０の異常検出制御部１４ａは、例えば、ＰＬＣ１６が取得する射出成型機１からの信号や射出成型機１の各種センサ類の信号を取得し、取得された信号に基づき、射出成型機１の状態（型締め装置２や射出装置９の動作状態や型締め力等）を把握する。そして、異常検出制御部１４ａは、取得した射出成型機１の状態が、射出成型機１の現時点における運転条件や規定値等に対して異常と判定される値であった場合、射出成型機１に異常が発生したと判定する。
【００４６】
この場合、異常検出制御部１４ａは、ＰＬＣ１６や射出成型機１の各種センサ類の信号から、異常の発生箇所や種類を特定する。例えば、ＰＬＣ１６から得られる射出成型機１からの信号は、射出成型機１のどの部分から得られるものであるかが予め明らかになっており、また、射出成型機１のセンサ類は、射出成型機１のどの部分に取り付けられているかが予め明らかである。また、ＰＬＣ１６が取得する射出成型機１からの信号や、射出成型機１の各種センサ類から得られる信号は、型締め装置２や射出装置９の動作量等を示すので、これらの信号から、異常検出制御部１４ａは射出成型機１の状態を知ることができる。
【００４７】
制御装置１０の異常検出制御部１４ａが、射出成型機１に異常が発生したことを検出した場合、異常検出制御部１４ａは、射出成型機１の異常についての情報、この場合には、射出成型機１に異常が発生したことを示す異常識別情報を生成する。例えば、異常検出制御部１４ａは、異常が発生したことを示すフラグ（異常識別情報であり異常発生フラグという）Ｆ１を０から１にする。すなわち、異常発生フラグＦ１が０であるときは異常が発生しておらず、異常発生フラグＦ１が１であるときに異常が発生している。制御装置１０の制御装置側通信制御部１４ｂは、異常識別フラグＦ１が１であることを検出したら、射出成型機１の異常についての情報、より具体的には、異常が発生したこと（異常発生情報）を発信する。異常発生情報は、制御装置側通信装置１７から発信され、端末側通信装置３７が受信する。
【００４８】
端末側通信装置３７が受信した異常発生情報は、端末装置３０の端末側通信制御部３４ａが取得する。端末側通信制御部３４ａが異常発生情報を取得したら、端末側通信制御部３４ａは、異常発生受信情報を生成する。例えば、端末側通信制御部３４ａは、異常発生情報を受信したことを示すフラグ（異常発生受信情報であり異常受信フラグという）Ｆ２を０から１にする。すなわち、異常受信フラグＦ２が０であるときは異常発生情報が受信されておらず、異常受信フラグＦ２が１であるときに異常発生情報が受信される。
【００４９】
端末装置３０の条件判定部３４ｈは、定期的に異常受信フラグＦ２を監視している。ステップＳ１０１において、端末装置３０の条件判定部３４ｈは、異常受信フラグＦ２が１であることを検出すると、条件判定部３４ｈは、射出成型機１に異常が発生したと判定する（ステップＳ１０１：Ｙｅｓ）。なお、条件判定部３４ｈが射出成型機１に異常は発生していないと判定した場合（ステップＳ１０１：Ｎｏ）、条件判定部３４ｈは、射出成型機１に異常が発生したか否か、より具体的には、異常受信フラグＦ２の監視を継続する。
【００５０】
射出成型機１に異常が発生した場合、ステップＳ１０２へ進む。ステップＳ１０２において、端末装置３０の端末側通信制御部３４ａは、制御装置１０の制御装置側通信制御部１４ｂと通信する。そして、ステップＳ１０３へ進み、端末装置３０の異常復旧制御部３４ｂは、制御装置側通信制御部１４ｂ及び端末側通信制御部３４ａを介して制御装置１０から取得した、射出成型機１の異常についての情報に基づき、異常の種類等を確認する。
【００５１】
上述したように、制御装置１０の異常検出制御部１４ａは、ＰＬＣ１６が取得する射出成型機１からの信号や射出成型機１の各種センサ類の信号に基づき、射出成型機１に発生した異常の箇所や種類を特定する。そして、異常検出制御部１４ａは、特定した異常の箇所や種類を異常情報として制御装置側記憶部１５へ格納する。本実施形態では、それぞれの異常の箇所や種類に対応したアラームコードが異常情報として制御装置側記憶部１５へ格納される。このように、アラームコードにより、射出成型機１に発生した異常を特定できる。端末装置３０の異常復旧制御部３４ｂは、制御装置側通信制御部１４ｂ及び端末側通信制御部３４ａを介して、アラームコードを取得する。次に、ステップＳ１０４へ進み、端末装置３０の異常復旧制御部３４ｂは、ステップＳ１０３で取得したアラームコードに対応する復旧手順を端末装置ディスプレイ３１に表示させる。
【００５２】
図５は、アラームコードと復旧手順とを対応付けて記述したデータテーブルの一例を示す概念図である。図５のデータテーブル８０は、端末側記憶部３５に格納されており、アラームコードで特定される射出成型機１に発生した異常を復旧させるための復旧手順が、それぞれのアラームコードに対応して記述されている。それぞれの復旧手順には、対応するアラームコードにより特定される射出成型機１の異常を復旧させるために必要な作業（復旧作業）と、その順序と、対応するアラームコードにより特定される射出成型機１の異常が発生した場所とが記述される。それぞれの復旧手順は、復旧作業の順序を静止画の切り替えや動画等でガイドするもので、音声によるガイドを加えてもよい。本実施形態において、それぞれの復旧手順は、復旧作業の静止画や動画や音声等の情報及びその表示順序が格納されたデータファイルである。
【００５３】
例えば、アラームコードが０１である場合、端末装置３０の異常復旧制御部３４ｂは、復旧手順Ｂを端末側記憶部３５から読み出して、復旧手順Ｂに格納されている異常が発生した場所と、復旧作業とを端末装置ディスプレイ３１に表示させる。これによって、作業者は、射出成型機１の異常が発生した場所及び復旧手順が分かるので、復旧に必要な工具や部品等を準備した上で端末装置３０を射出成型機１から取り外して、端末装置３０及び工具を持って異常が発生した場所へ移動する。そして、作業者は、異常の発生した場所で、端末装置３０の端末装置ディスプレイ３１に表示された復旧作業の手順を参照しながら、射出成型機１を復旧させるための作業を実行する。
【００５４】
このように、本実施形態では、端末装置３０の端末側記憶部３５に、射出成型機１の異常に対応した復旧手順を格納して、端末装置３０の端末装置ディスプレイ３１に、少なくとも射出成型機１に発生した異常に対応した復旧作業の手順（必要に応じて異常が発生した場所）を表示させる。これによって、作業者は、復旧作業の手順や異常が発生した場所を容易に理解できるので、復旧作業に要する負荷を低減できる。また、端末装置３０の端末装置ディスプレイ３１に、少なくとも射出成型機１に発生した異常に対応した復旧作業の手順を表示させるので、復旧作業へ入る前に、必要な準備や作業に要する時間を予測できる。このため、復旧作業の途中に必要な工具や部品を手配することによる復旧作業の中断が低減される。また、復旧作業に要する時間を予測することにより、射出成型機１の運転を再開できる時間を予測して、生産計画の変更等に役立てることができる。
【００５５】
従来、復旧手順は、紙や電子データに記述されており、射出成型機１とは別個に用意される。熟練した作業者であれば、紙等に記述された復旧手順を探す手間は少ないが、熟練していない作業者は、復旧手順の見方から確認する必要があり、復旧作業に手間を要していた。しかし、本実施形態では、アラームコードに対応した復旧手順が端末装置３０の端末装置ディスプレイ３１に表示されるので、熟練していない作業者であっても、復旧作業の手順を容易に理解できる。その結果、復旧作業に要する負荷を低減できる。
【００５６】
また、従来のように、制御装置１０の制御装置ディスプレイ１１に復旧手順が表示される場合、復旧手順をメモ等して作業場所へ移動する必要があり、作業効率が低下するという問題があった。本実施形態では、アラームコードに対応した復旧手順が表示された端末装置３０を、作業する場所まで移動できる。これによって、復旧手順をメモ等しなくても端末装置３０の端末装置ディスプレイ３１を参照するだけでよいので、作業効率が向上する。特に、制御装置１０と作業する場所とが離れている場合には、作業毎に制御装置１０の制御装置ディスプレイ１１を確認しに戻る必要がないので、作業効率は大幅に向上する。大型の射出成型機１は、移動距離も長くなりやすいので、端末装置３０を作業場所まで移動できる効果は大きい。さらに、復旧作業を動画で表示させる場合には、復旧作業を実行する場所で、現物と動画による復旧作業のガイドとを照らし合わせることにより、正確かつ迅速な復旧作業が実現できる。
【００５７】
作業者が、端末装置３０の端末装置ディスプレイ３１に表示された復旧作業の手順に従って射出成型機１を復旧させるための作業を実行している途中に、射出成型機１の状態についての情報が必要になる場合がある。例えば、復旧作業中に射出成型機１が正常に動作するどうかを確認する確認作業が必要になった場合、射出成型機１を動作させて、射出成型機１の状態についての情報を取得して、射出成型機１の動作を確認する。射出成型機１の動作確認は、例えば、復旧手順の中に記述される。ここで、射出成型機１の状態についての情報とは、例えば、型締め装置２の型締め力や、可動金型４Ｍを指示する型板の位置等や射出速度や射出圧力等といった、射出成型機１の状態についての情報である。射出成型機１の状態についての情報は、例えば、射出成型機１に設けられた各種センサによって検出される。
【００５８】
射出成型機１の状態についての情報が必要になった場合（ステップＳ１０５：Ｙｅｓ）、例えば、復旧手順中の作業手順に射出成型機１の動作確認を実行する旨が記述されている場合には、その旨が端末装置ディスプレイ３１に表示される。作業者は、端末装置ディスプレイ３１に表示された復旧作業の指示に従って、射出成型機１を動作させる。その後、ステップＳ１０６に進み、端末装置３０の端末側通信制御部３４ａは、制御装置１０の制御装置側通信制御部１４ｂと通信する。
【００５９】
そして、ステップＳ１０７に進み、端末装置３０の異常復旧制御部３４ｂは、制御装置側通信制御部１４ｂ及び端末側通信制御部３４ａを介して、ＰＬＣ１６や射出成型機１の各種センサ類から、射出成型機１の状態についての必要な情報を取得する。なお、異常復旧制御部３４ｂが取得した射出成型機１の状態についての情報は、異常復旧制御部３４ｂが、端末装置ディスプレイ３１に表示させてもよい。これによって、作業者は、射出成型機１の状態についての情報を確認して、射出成型機１が正常に動作しているか否かを確認できる。
【００６０】
次に、ステップＳ１０８に進み、端末装置３０の異常復旧制御部３４ｂは、射出成型機１が異常状態から復旧したか否かを判定する。これは、射出成型機１の確認動作に対応して得られた射出成型機１の状態が、正常な場合の状態である場合に、射出成型機１が異常状態から復旧したと判断される。例えば、型締め装置２に異常が発生した場合において型締め装置２を確認動作させ、その結果得られた型締め力を端末装置３０の異常復旧制御部３４ｂが取得し、確認動作において設定した型締め力と比較する。そして、比較の結果、復旧作業後の型締め装置２が確認動作で設定された型締め力を発生している場合、端末装置３０の異常復旧制御部３４ｂは、型締め装置２は正常であって、射出成型機１は異常状態から復旧したと判断する。このように、端末装置３０の異常復旧制御部３４ｂが射出成型機１の状態についての情報を取得することにより、制御装置１０の場所に戻らず、作業場所で、射出成型機１が正常に動作しているか否かを確認できるので、復旧作業に要する負荷を低減できる。
【００６１】
ステップＳ１０８でＮｏと判定された場合、すなわち、射出成型機１が異常状態から復旧していないと判定された場合、ステップＳ１０９に進み、異常復旧制御部３４ｂは、取得した射出成型機１の状態に対応する復旧手順を端末装置３０の端末装置ディスプレイ３１に表示させる。
【００６２】
図６は、射出成型機の状態と、復旧手順とを対応付けて記述したデータテーブルの一例を示す概念図である。本実施形態において、射出成型機１の状態は、成型機状態コードで表される。図６のデータテーブル８１は、端末側記憶部３５に格納されており、成型機状態コードで特定される射出成型機１の状態、すなわち異常な状態を復旧させるための復旧手順が、それぞれの成型機状態コードに対応して記述されている。それぞれの復旧手順には、対応する成型機状態コードにより特定される射出成型機１の異常な状態を復旧させるために必要な作業（復旧作業）と、その順序と、対応する成型機状態コードにより特定される射出成型機１の異常箇所とが記述される。
【００６３】
例えば、成型機状態コードが０２である場合、端末装置３０の異常復旧制御部３４ｂは、復旧手順ＪＣを端末側記憶部３５から読み出して、復旧手順ＪＣに格納されている異常箇所と、復旧作業とを端末装置ディスプレイ３１に表示させる。これによって、作業者は、射出成型機１の異常箇所及び復旧手順が分かるので、端末装置ディスプレイ３１に表示された作業手順を参照しながら復旧作業を実行する。その後、ステップＳ１０５に戻り、ステップＳ１０５以降の手順が実行される。
【００６４】
ステップＳ１０８でＹｅｓと判定された場合、すなわち、射出成型機１が異常状態から復旧したと判定された場合、ステップＳ１１０に進み、射出成型機１の異常を報知するアラームが解除される。アラームの報知及び停止は制御装置１０で制御される。アラームの解除は、例えば、作業者が端末装置３０の端末入力装置３２を操作して、アラームの解除命令を端末装置３０へ入力する。これによって、端末装置３０は、制御装置１０によるアラームを解除する。
【００６５】
アラームが解除されたらステップＳ１１１へ進み、端末装置３０の端末側通信制御部３４ａは、制御装置１０の制御装置側通信制御部１４ｂと通信する。そして、端末装置３０の端末側通信制御部３４ａは、制御装置側通信制御部１４ｂを介してアラームの解除命令を制御装置１０の異常検出制御部１４ａに送信する。これによって、異常検出制御部１４ａはアラームを解除する。アラームが解除されたら、制御装置１０の異常検出制御部１４ａは、制御装置側通信制御部１４ｂ及び端末側通信制御部３４ａを介して、アラームを解除した旨を端末装置３０の異常復旧制御部３４ｂへ送信する。ステップＳ１１２において、アラームを解除した旨の情報を取得した異常復旧制御部３４ｂは、その旨を端末装置３０の端末装置ディスプレイ３１に表示して、射出成型機１の異常復旧作業は終了する。これによって、作業者は、射出成型機１が異常状態から復旧したことを確認できる。
【００６６】
ステップＳ１０５でＮｏと判定された場合、すなわち、射出成型機１の異常復旧作業において、射出成型機１の状態についての情報が必要でない場合、ステップＳ１１３に進み、現在の復旧手順が継続される。次にステップＳ１１４へ進み、端末装置３０の異常復旧制御部３４ｂは、射出成型機１が異常状態から復旧したか否かを判定する。
【００６７】
ステップＳ１１４でＮｏと判定された場合、すなわち、射出成型機１が異常状態から復旧していないと判定された場合、ステップＳ１０５に戻り、ステップＳ１０５以降の手順が実行される。ステップＳ１１４でＹｅｓと判定された場合、すなわち、射出成型機１が異常状態から復旧したと判定された場合、ステップＳ１１０に進み、ステップＳ１１０以降の手順が実行される。次に、保守支援装置５０の他の機能を説明する。
【００６８】
［情報確認機能］
端末装置３０は、情報確認制御部３４ｃを備える。情報確認制御部３４ｃは、端末入力装置３２から入力される命令により、射出成型機１の運転中に、制御装置１０の制御装置記憶部１５から、射出成型機１の現時点における運転条件とは異なる運転条件（成型条件）を読み出す。そして、情報確認制御部３４ｃは、読み出した運転条件を端末装置ディスプレイ３１に表示させる。
【００６９】
端末装置３０は、射出成形機１の制御装置１０の単なる従表示装置ではなく、情報確認制御部３４ｃにより制御装置１０とは独立して情報を端末装置ディスプレイ３１に表示させることができる。このため、射出成形機１の稼働状態に関係なく、射出成型機１の運転条件を読み出して、端末装置ディスプレイ３１に表示させることができる。このため、例えば、射出成型機１があるジョブを実行している時（成型実行中）に、次のジョブの成形条件を読み出して端末装置ディスプレイ３１に表示させても、射出成形機１の制御装置１０の処理速度は影響を受けない。このため、射出成形機１は、安定した成形ができ、また、射出成型機１があるジョブを実行しているときに、当該ジョブの終了を待たずに、次に実行するジョブの条件を確認できるので、作業効率が向上する。
【００７０】
［編集機能］
端末装置３０の運転条件編集制御部３４ｄは、情報確認制御部３４ｃが、射出成型機１の現時点における運転条件とは異なる運転条件（成型条件）を読み出した場合、端末入力装置３２からの入力に基づいて、前記とは異なる運転条件を編集する。情報確認制御部３４ｃは、制御装置１０（より具体的にはＰＬＣ１６）から射出成型機１に対する運転条件（制御データ）を読み出し、端末側記憶部３５に格納する。そして、端末装置３０の運転条件編集制御部３４ｄは、端末入力装置３２からの入力に基づいて、端末側記憶部３５に格納された運転条件を読み出して、編集する。
【００７１】
これによって、現時点における射出成型機１の運転条件を書き換えることなく、他の運転条件を編集できるので、作業効率が向上する。この場合、制御装置１０と端末装置３０とは互いに独立なので、射出成形機１の制御を不安定にするおそれはほとんどない。一般に、次の成形の段取りとして、金型４の予備加熱や取り出しロボットのチャックハンドの準備等、成形前の段取りには時間を要することから、現在実行中の成形運転中に、当該成形運転の終了を待たず、次に成形する成形条件を確認できることは段取り時間の短縮に有効である。これは、近年の傾向である多品種少量生産においては、生産効率の改善に効果的である。また、端末装置３０の端末側記憶部３５に格納される射出成型機１の運転条件等を修正して、端末側通信制御部３４ａ及び制御装置側通信制御部１４ｂを介して端末装置３０から制御装置１０にアップロードすることにより、作業性がさらに向上する。
【００７２】
また、高生産で安定した成形品の成形条件を探すために、型締め装置２の運転条件や射出装置９の運転条件を種々変更しながら作業をする必要がある。この場合、表示装置が制御装置ディスプレイ１１のみであると、運転条件を変更する毎に画面を切り換えなければならず、作業性が悪い。１つの画面を２つに分割して異なった画面を表示させることも考えられるが、表示画像が小さくなってしまい視認性が悪い。
【００７３】
保守支援装置５０を構成する端末装置３０の編集機能により、端末装置３０の端末装置ディスプレイ３１は、制御装置１０の制御装置ディスプレイ１１とは独立して画面を表示させ、射出成型機１の運転条件を編集できる。このように、保守支援装置５０では、あたかも制御装置１０の制御装置ディスプレイ１１の画面が拡大したのと同様の効果が得られる。これによって、保守支援装置５０は、制御装置１０の制御装置ディスプレイ１１が表示している制御画面以外の画面を、端末装置３０の端末装置ディスプレイ３１へ同時に表示できるので、一つの表示装置で画面を切り換える手間が省けて作業効率が向上する。
【００７４】
［運転条件入力機能］
上述したように、端末装置３０は、端末入力装置３２を備え、これによって、射出成型機１の運転条件（成形条件）が端末装置３０へ入力される。そして、端末側通信制御部３４ａは、端末入力装置３２によって入力された射出成型機１の運転条件を、制御装置１０の制御装置側通信制御部１４ｂへ送信する。制御装置側通信制御部１４ｂは、受信した運転条件を、制御装置側記憶部１５に格納し、ＰＬＣ１６は、この運転条件を制御装置側記憶部１５から読み出して、射出成型機１の動作を制御する。
【００７５】
このように、端末装置３０は、射出成形機１から取り外した状態でも、射出成型機１の運転条件を制御装置１０へ入力する制御装置１０の端末として機能する。これによって、例えば、制御装置１０と離れた場所にある成形品取り出し部でも、成形品の状態を確認しながら、射出成形機１の制御装置１０まで戻ることなく、その場で成形条件を変更できるので、作業効率が向上する。これは、制御装置１０と製品取り出し部との距離が大きくなる傾向の強い大型の射出成型機で有効である。また、自動車内外装部品や搬送用樹脂パレット等の大物成形品の場合、大型取り出しロボットで成形品を取り出し後、すぐに射出成型機１から離れた一次時保管場所に成形品を置くことが多い。保守支援装置５０の運転条件入力機能によれば、一時保管場所に端末装置３０を持ち込んで、試作サンプルの状態を確認しながら成形条件を修正できるので、いちいち成形機本体の制御装置１０まで戻って成形条件を変更する必要はなく、作業効率が向上する。
【００７６】
［制御パラメータ比較機能］
一般に、射出成型機は、同一の金型を使用した場合でも、同じ仕様の機種であるにも関わらず、一方の射出成形機では成形不良が発生するのに他方の射出成形機では成形不良が発生しないという現象が起こることがある。この場合、まず両方の射出成形機の成形条件で、異なる制御パラメータがあるか否かを確認するが、この確認のためには、両方の射出成形機の成形条件を印刷して、すべての制御パラメータを見比べなければならない。しかし、これには長時間を要するので作業効率が悪い。
【００７７】
また、同じ射出成形機であるにも関わらず、昨日は成形不良が発生しなかったのに、今日は成形不良が頻発するという現象が発生することがある。この原因の一つとして、作業者が勝手に成形条件を変更してしまい、成形を不安定にしてしまうことがある。この場合も、成形条件の変更箇所を確認するために、すべての制御パラメータを見比べなければならない。これには長時間を要し、見逃しなどの人為的ミスが発生しやすく作業効率が悪い。
【００７８】
本実施形態において、端末装置３０は、制御パラメータ比較機能を有する。この機能は、端末装置３０の比較制御部３４ｅによって実現される。端末装置３０の比較制御部３４ｅは、端末側通信制御部３４ａを介して複数の射出成型機の運転条件（成型条件）を取得する。そして、取得されたそれぞれの運転条件同士を複数の射出成型機の間で比較して、それぞれの運転条件に含まれる射出成型機の制御パラメータ（成型パラメータ）のうち、異なる制御パラメータを抽出する。
【００７９】
この場合、端末装置３０の比較制御部３４ｅは、複数の射出成形機の運転条件を、端末装置３０の端末側記憶部３５に格納し、それぞれの射出成型機の制御パラメータをすべて比較する。そして、端末装置３０の比較制御部３４ｅは、異なる値を持つ制御パラメータを抽出し、その名前とその値とを端末装置ディスプレイ３１に表示させる。
【００８０】
この制御パラメータ比較機能によれば、例えば、比較対象となるすべての制御パラメータ等を一点一点、作業者が比較する必要はない。このため、異なる制御パラメータ等の見逃しといった人為的なミスを回避できるとともに、短時間で制御パラメータ等を比較し、異なる制御パラメータ等を抽出することができるので、複数の射出成型機間での違いを把握する作業の効率が向上する。
【００８１】
[実行値プロファイルデータ比較表示機能]
上述したように、射出成型機は、同一の金型を使用した場合でも、同じ仕様の機種であるにも関わらず、一方の射出成形機では成形不良が発生するのに他方の射出成形機では成形不良が発生しないという現象が起こることがある場合に、両方の射出成形機の成形条件で、異なる制御パラメータがあるか否かを確認する。この他の一般的な確認方法として、両方の射出成形機の射出速度波形や射出圧力波形等の実行値プロファイルデータに差があるか否かを確認する方法がある。この確認のためには、両方の射出成形機の射出速度波形や射出圧力波形などを画像として紙面に印刷して、印刷された両方の実行値波形画像の縦軸横軸のスケールに差がないかを考慮しながら、波形データを見比べなければならない。しかし、これには長時間を要するので作業効率が悪い。
【００８２】
本実施形態において、端末装置３０は、実行値プロファイルデータ比較表示機能を有する。この機能は、端末装置３０の実行値プロファイルデータ比較制御部３４ｉによって実現される。端末装置３０の実行値プロファイルデータ比較制御部３４ｉは、端末側通信制御部３４ａを介して複数の射出成型機の運転条件（実行値プロファイルデータ）を取得し、各々の実行値プロファイルデータが比較可能なように表示する。
【００８３】
この場合、端末装置３０の実行値プロファイルデータ比較制御部３４ｉは、複数の射出成形機の運転条件を、端末装置３０の端末側記憶部３５に格納し、運転実行値プロファイルデータであるそれぞれの射出速度波形や射出圧力波形など同士を画像として、端末装置ディスプレイ３１に各実行値プロファイルデータの縦軸横軸のスケールを同一とし、上下又は左右に並べるか、あるいは同一グラフ上に重ね書きにする等の方法により、各実行値プロファイルデータ比較できるように表示する。
【００８４】
この実行値波形データ比較表示機能によれば、比較対象となる射出成型機１の各々の射出速度波形、又は射出圧力波形などの実行値波形データを画像として各々印刷し、机上で作業者が比較する必要はない。このため、印刷時における画像の縦軸横軸の縮尺等の印刷装置によるデータ加工・処理を考慮することなく、容易に実行値波形データの比較ができるので、複数の射出成型機間における成型状態の違いを把握する作業の効率が向上する。
【００８５】
特に電動サーボモータ駆動の産業機械においては、複数の産業機械間での速度制御時の実行値トルクプロファイルの差や、トルク制御時の実行値トルクプロファイルの差を容易に確認できる。制御指令値に対する動作追従性の高い電動サーボ駆動の産業機械において、同一の産業機械で同一の動作制御を行った場合に、前記実行値トルクプロファイルや前記実行値速度プロファイルに差があることが把握できれば、成形品の加工品質の差が産業機械本体動作の差に起因するものでなく、材料、原料、金型などに起因するものである可能性が高いことを見出すことができるので、不具合の改善に有効である。
【００８６】
［回線接続機能］
上述したように、端末装置３０の端末側通信制御部３４ａは、図１に示す通信回線６０（例えば、インターネットや、工場内無線ＬＡＮ等の既存の無線ネットワーク）と通信可能である。端末装置３０は、端末側通信制御部３４ａ及び制御装置１０の制御装置側通信制御部１４ｂを介して、制御装置１０が取得した射出成型機１の運転条件（成型条件）や射出成型機１の稼働状況等を取得する。そして、端末装置３０の端末側通信制御部３４ａは、取得した射出成型機１の運転条件や射出成型機１の稼働状況等を、通信回線６０を通じて遠隔地に送信する。これによって、例えば、射出成型機１の管理会社が、射出成型機１の運転条件や射出成型機１の稼働状況等を把握して、射出成型機１の保守・点検に活用したり、不具合の改善に活用したりすることができる。
【００８７】
また、通信回線６０との通信機能を制御装置１０に設けるのではなく、端末装置３０に設けるため、制御装置１０の機能を改造する範囲が少なくて済み、低コストでインターネットとの通信環境を得ることができる。これによって、射出成型機１が設置される工場の設備増設工事も不要で、低コストかつ短期間で、インターネットとの通信環境を整備できる。
【００８８】
また、端末装置３０の端末側通信制御部３４ａの通信仕様を社内無線ＬＡＮなどに合わせれば、既存のネットワーク上の一端末として接続可能である。これにより前記ネットワークに接続しているコンピュータ６２で、端末装置３０の取得した射出成型機１の運転条件や射出成型機１の稼働状況等を取得可能となる。さらに、端末装置３０が端末側通信制御部３４ａを介して接続した該ネットワークに接続しているデータサーバー６３のデータを取得することもできる。よって、端末装置３０、又は通信回線６０に接続しているコンピュータ６２やデータサーバー６３を用いて、各々のデータを取得、操作したい場合に機器を持ち替える必要もなく作業性が向上する。
【００８９】
［画面複写機能］
端末装置３０の画面複写制御部３４ｆは、端末入力装置３２からの指令により、制御装置ディスプレイ１１に表示される画像を複写（端末側記憶部３５に格納）する。これによって、制御装置１０が制御装置ディスプレイ１１に表示させた射出成型機１の運転条件（成形条件）や、運転条件を入力する画面や、制御パラメータや実行値プロファイルデータを表示させた画面を複写できる。一般に、プリンタによる印刷は、ある程度の時間を要する。これに加えて、射出成型機１を制御するための制御装置１０が備えるＣＰＵやメモリ等は、通常のパーソナルコンピュータと比較して性能が低いため、制御装置１０のＣＰＵを用いて制御装置ディスプレイ１１に表示されている画像をプリンタに出力させる場合、印刷に長時間を要する。
【００９０】
しかし、端末装置３０の画面複写制御部３４ｆによる画像の複写は、プリンタによる印刷時間に比べ、極めて短時間で複写が完了するので、作業効率が向上する。また、画面複写制御部３４ｆは、制御装置１０と同じ画面を複写できるので、制御装置１０の表示と同一の画面をそのまま持ち運ぶことができ、他の作業者や管理者等と相談する場合も、見やすく、かつイメージし易い環境とすることができる。その結果、作業効率がより向上する。さらに、複写した画像情報を、例えばＪＰＥＧ等の画像とすれば、複写した画像情報を端末装置３０から汎用のパーソナルコンピュータに保存し、加工することが容易になる。その結果、射出成型機１の運転条件等の管理が容易になる。
【００９１】
［検索機能］
端末装置３０は、検索制御部３４ｇにより、端末側記憶部３５に格納されている情報を、端末入力装置３２から入力されるキーワードに基づいて検索する。例えば、設定したい制御パラメータをキーワードとして入力すると、設定したい制御パラメータが記述される画面を、端末装置ディスプレイ３１へ迅速に表示させることができるので、作業性が向上する。特に、検索制御部３４ｇの検索機能により、作業者の熟練度が低い場合等でも、該当する画面を簡易かつ迅速に端末装置ディスプレイ３１へ表示させることができる。ここで、キーワードは、端末入力装置３２やタッチパネル、あるいは音声によって検索制御部３４ｇへ入力することができる。
【産業上の利用可能性】
【００９２】
以上のように、本発明に係る産業機械の保守支援装置及び産業機械は、産業機械に異常が発生した場合における復旧作業に要する負荷を低減することや、産業機械を安定して稼動させるために定期的に行われる保守・点検作業に要する負荷を低減することに有用である。
【図面の簡単な説明】
【００９３】
【図１】本実施形態に係る産業機械の保守支援装置を備える射出成型機を示す説明図である。
【図２】端末装置の取り付け構造を示す説明図である。
【図３】本実施形態に係る保守支援装置の構成を示す説明図である。
【図４】本実施形態に係る保守支援装置を用いて射出成型機を保守・点検する手順の一例を示すフローチャートである。
【図５】アラームコードと復旧手順とを対応付けて記述したデータテーブルの一例を示す概念図である。
【図６】射出成型機の状態と、復旧手順とを対応付けて記述したデータテーブルの一例を示す概念図である。
【符号の説明】
【００９４】
１  射出成型機
１Ｂ  本体
１Ｓ  端末装置格納部
２  型締め装置
４  金型
９  射出装置
１０  制御装置
１１  制御装置ディスプレイ
１２  制御装置入力装置
１３  入出力部（制御装置入出力部）
１４  処理部（制御装置処理部）
１４ａ  異常検出制御部
１４ｂ  制御装置側通信制御部
１４ｃ  表示制御部
１５  記憶部（制御装置記憶部）
１７  制御装置側通信装置
３０  端末装置
３１  端末装置ディスプレイ
３２  端末入力装置
３３  入出力部（端末側入出力部）
３４  処理部（端末側処理部）
３４ａ  端末側通信制御部
３４ｂ  異常復旧制御部
３４ｃ  情報確認制御部
３４ｄ  運転条件編集制御部
３４ｅ  比較制御部
３４ｆ  画面複写制御部
３４ｇ  検索制御部
３４ｈ  条件判定部
３４ｉ  実行値プロファイルデータ表示制御部
３５  記憶部（端末側記憶部）
３７  端末側通信装置
５０  保守支援装置
６０  通信回線
６１  中継基地
６２  コンピュータ
６３  データサーバー
８０、８１  データテーブル
【図１】
2010105369.tif 000003
【図２】
2010105369.tif 000004
【図３】
2010105369.tif 000005
【図４】
2010105369.tif 000006
【図５】
2010105369.tif 000007
【図６】
2010105369.tif 000008